(57)【要約】【課題】火災の延焼抑制や防火に効果的な位置に加熱発泡材を容易且つ低廉に設置する。【解決手段】縦辷り出し窓は枠体５内に障子７を納めた。枠体５の下枠３において、金属下枠１１に樹脂下枠１２を取り付けた。金属下枠１１の上側下枠１１ｂの第二段部１１ｂｂに樹脂下枠１２の立ち上がり部１２ｃを起立させて屋外側に向けて形成した受け部１７に加熱発泡材１６を取り付けた。加熱発泡材１６は金属下枠１１と障子７の下框２１との間の空間Ｋ内で屋外側に向けて立ち上がり部１２ｃに設置した。加熱発泡材１６は障子７のガラスパネル９の屋内側に設置した。【選択図】図２
2017125328.tif 000002
【特許請求の範囲】
【請求項１】
枠体内に障子を取り付けた複合建具において、
前記枠体の金属下枠に設けられた樹脂部材と、
前記樹脂部材に取り付けられた加熱発泡材とを
備えたことを特徴とする複合建具。
【請求項２】
前記樹脂部材は前記金属下枠から立ち上がる立ち上がり部を備え、
前記立ち上がり部に前記加熱発泡材が取り付けられている請求項１に記載された複合建具。
【請求項３】
前記加熱発泡材は前記障子より屋内側に設置されている請求項１または２に記載された複合建具。
【請求項４】
前記加熱発泡材は前記金属下枠と障子の下框との間に設置されている請求項１から３のいずれか１項に記載された複合建具。
【発明の詳細な説明】
【技術分野】
【０００１】
本発明は、例えば躯体の開口部に設けた枠体に障子を納めた複合建具に関する。
【背景技術】
【０００２】
従来、アルミ合金等の金属枠と樹脂枠とを備えた枠体内に障子を納めた縦辷り出し窓や引き違い窓等では金属枠に加熱発泡材を固定している。火災時等に熱風や火炎の熱によって加熱発泡材が膨張発泡して屋内外の空間を埋めることで屋内外への延焼を遅延させたり抑制させたりしている。
例えば特許文献１に記載された縦辷り出し窓では、金属下枠と障子の下框との間に金属下枠から起立する金属の立ち上げ部に加熱発泡材を取り付けてかしめ固定している。そして、火災発生時に障子と窓枠が変形し、障子の下框と下枠との間の隙間に熱風や火炎が屋外から侵入すると加熱発泡材が発泡膨張し、熱風や火炎を遮断するため室内側への延焼が防止されて防火性を向上できる。
【先行技術文献】
【特許文献】
【０００３】
【特許文献１】特開２０１５−４２７９９号公報
【発明の概要】
【発明が解決しようとする課題】
【０００４】
ところで、特許文献１に記載された複合式の辷り出し窓のように、加熱発泡材を下枠と障子の間に取り付ける際に、屋内外からの火災による延焼を抑えたり防火性を向上させたりするのに効果的な位置に加熱発泡材を設置する必要がある。そのためには、加熱発泡材の設置に効果的な位置までアルミ合金製の金属下枠を引き延ばさなければならず、設計施工が煩雑である上に金属下枠の設置コストが増大するという欠点があった。
【０００５】
本発明は、このような課題に鑑みてなされたものであって、火災の延焼抑制や防火に効果的な位置に加熱発泡材を容易且つ低廉に設置できるようにした複合建具を提供することを目的とする。
【課題を解決するための手段】
【０００６】
本発明による複合建具は、枠体内に障子を取り付けた複合建具において、枠体の金属下枠に設けられた樹脂部材と、樹脂部材に取り付けられた加熱発泡材とを備えたことを特徴とする。
本発明によれば、枠体の下枠における金属下枠に設けた樹脂枠等の樹脂部材に加熱発泡材を取り付けたため、火災の際に樹脂部材が熱風や火炎等にさらされても加熱発泡材が発泡して膨張するまで樹脂部材が溶けて崩れることを抑えられるため、屋内外を熱風や火炎等が連通することを防いで防火性を向上できる。しかも、金属下枠に連結された樹脂枠等の樹脂部材に加熱発泡材を取り付けたため、金属下枠を加熱発泡材の設置位置まで延ばす必要がなく取り付けが簡単で低コストになる。
【０００７】
また、樹脂部材は金属下枠から立ち上がる立ち上がり部を備え、立ち上がり部に加熱発泡材が取り付けられていることが好ましい。
加熱発泡材を取り付けた樹脂枠等の樹脂部材を金属下枠からの立ち上がり部に設置したため、樹脂部材を支える金属下枠が火災時に熱で崩れ落ちたり変形したりする前に加熱発泡材を膨張発泡させることができる。
【０００８】
また、加熱発泡材は障子より屋内側に設置されていることが好ましい。
樹脂枠等の樹脂部材に取り付けた加熱発泡材を障子より屋内側に設置したため、障子と枠体からの距離が大きく屋外側からの火災等の際に樹脂部材や加熱発泡材が熱風や火炎の影響を受けにくい。
【０００９】
また、加熱発泡材は金属下枠と障子の下框との間に設置されていてもよい。
本発明によれば、加熱発泡材の熱膨張によって金属下枠と障子の下框との間の空間を封止することができ、火炎や煙が屋内外を流通することを抑制できる。
【発明の効果】
【００１０】
本発明による複合建具によれば、火災等の際に金属下枠に設けた樹脂部材が高温にさらされても加熱発泡材が発泡して膨張するまで溶けて崩れないように保持することができ、延焼を防いで防火性を高めることができる。しかも、金属下枠に設けた樹脂部材に加熱発泡材を取り付けたため、金属下枠等を加熱発泡材の設置位置まで延ばす必要がなく取り付けが簡単で低コストになる。
【図面の簡単な説明】
【００１１】
【図１】本発明の実施形態による縦辷り出し窓の下枠と障子の配設構造を示す要部縦断面図である。
【図２】図１に示す下枠と障子の間に設置した加熱発泡材の拡大断面図である。
【発明を実施するための形態】
【００１２】
以下、本発明の実施形態による複合建具の一例として縦辷り出し窓について図１及び図２に基づいて説明する。
図１に示す実施形態による縦辷り出し窓１は例えばアルミ合金等の金属と樹脂の複合建具からなっている。この縦辷り出し窓１は、躯体の開口部２にそれぞれアルミ合金及び樹脂からなる上枠と下枠３と左右の縦枠４とが四角形枠状に形成された枠体５を取り付けている。枠体５は屋外側に設けた金属枠と屋内側に設けた樹脂枠とが互いに係合されている。
枠体５内に開閉可能に納めた障子７は、それぞれアルミ合金と樹脂からなる上框及び下框２１と左右の縦框とを有し、その内部に例えば二層ガラス等の複層ガラスからなるガラスパネル９を納めている。障子７の吊元は枠体５の見付け方向の一端部近傍に設けられ、その軸線は上下方向に延びて図示しない上枠と下枠３に支持されている。
【００１３】
図２に示す枠体５において、下枠３の例えばアルミ合金からなる金属下枠１１は断面視で屋外側から屋内側に延びている。金属下枠１１の下側下枠１１ａは開口部２に沿って屋外側から屋内側に延びており、途中で下方に折り曲げられた折り曲げ部１１ａａが躯体に固定ねじ１０で固定されている。下側下枠１１ａの上側に形成された上側下枠１１ｂは屋外側から屋内側に向けて略階段状に形成されており、その屋外側下部には排水孔１１ｃが形成されている。
【００１４】
上側下枠１１ｂの階段状部分は段差を介して第一段部１１ｂａと第二段部１１ｂｂを形成しており、第二段部１１ｂｂには複数のホロー部を形成した樹脂下枠１２が取り付けられている。樹脂下枠１２は、第二段部１１ｂｂに設けた断面略Ｌ字状の爪部１４に係止された先端爪部１２ａを有する基部１２ｂと上方向に起立する立ち上がり部１２ｃとを有している。樹脂下枠１２の立ち上がり部１２ｃには加熱発泡材１６を保持するホルダとして受け部１７が形成され、加熱発泡材１６は例えば受け部１７に横から挿入され、受け部１７をかしめることで固定されている。
【００１５】
ここで、加熱発泡材１６は公知の材料のものであり、難燃性であるとともに所定の温度にまで加熱されると膨張・発泡して体積が増加する材料で構成されている。膨張開始温度は特に限定されることはないが、建築基準法及び同施工令の加熱曲線に合せて、例えば１５０℃程度であることが好ましい。膨張倍率も特に限定されることはないが１０倍〜４０倍であることが好ましい。加熱発泡材１６の材料はこのような性能を有するものであれば特に限定されることはなく、例えば黒鉛や炭素繊維等の熱発泡体を含有し、基材としてエポキシ樹脂、ポリ塩化ビニル樹脂、ブチルゴム等を用いたものを挙げることができる。
【００１６】
従来、加熱発泡材１６を支持する部材として、樹脂はアルミ合金やステンレス等の金属部材と比較して熱に弱く比較的短時間で溶解して崩れ落ちるため、耐熱性の高い金属部材を用いていた。しかし、本発明者らの研究により、火災等の際に上枠と障子７の上框との間では比較的高温になるため樹脂部材は加熱発泡材１６の膨張発泡の前に溶解してしまうが、下枠３や下枠３と障子７の下框２１の間等では比較的温度が低い状態を保つために加熱発泡材１６が膨張発泡するまで樹脂部材が溶け落ちることなく保持できることを見出した。例えば、火災発生時に２００℃〜３００℃の範囲で１８分〜１９分程度、樹脂部材が溶けずに残るため、熱風や火炎等に晒されても加熱発泡材１６が膨張発泡するまで樹脂部材が立ち上げ状態で残存することがわかった。
【００１７】
そのため、本発明の実施形態では、下枠３の樹脂下枠１２で加熱発泡材１６を保持するように構成した。この場合、加熱発泡材１６は金属下枠１１に近接し且つ金属下枠１１から立ち上がる樹脂下枠１２の立ち上がり部１２ｃに受け部１７を設けて加熱発泡材１６を保持することがより好ましい。
立ち上がり部１２ｃの上端部は障子７側に屈曲し、その先端に弾性部材からなる第一ヒレ部１８が開閉動作する障子７に当接するように設置されている。また、第一段部１１ｂａの屋外側先端部にはゴム等の弾性部材からなる第二ヒレ部１９が取り付けられている。
【００１８】
また、下枠３の上方に設けた障子７は複層ガラス、例えば二層ガラスからなるガラスパネル９を框体に納めている。屋外側ガラス９ａは例えば網入りガラスで厚みが大きく、屋内側ガラス９ｂは屋外側ガラス９ａより厚みが小さく設定されている。框体の下框２１は金属下框２２とその屋内側に設けた樹脂下框２３とを有しており、金属下框２２はガラスパネル９をグレージングチャンネル２４を介して断面略Ｕ字状の支持受け部２２ａによって支持している。金属下框２２の屋外側垂下部２２ｂは上端でグレージングチャンネル２４の一方を押圧支持すると共に下端に設けた略Ｌ字状の水切り部２２ｃを有している。また、金属下枠１１の第一段部１１ｂａに取り付けた第二ヒレ部１９が水切り部２２ｃに当接して雨水等の浸入を防いでいる。
金属下框２２の屋内側端部にはガラスパネル９の屋内側に位置する二段の係合受け部２２ｄ、２２ｅが形成され、樹脂下框２３には係合受け部２２ｄ、２２ｅに係合する係合爪２３ａ、２３ｂが形成されている。樹脂下框２３は上下に複数のフロー部を有しており、その上部の屋外側にはグレージングチャンネル２４を押圧して固定する係止部２３ｃが形成されている。樹脂下枠１２の上端に形成された第一ヒレ部１８は開閉作動する障子７の樹脂下框２３に当接している。
【００１９】
そして、下枠３の金属下枠１１と障子７の金属下框２２及び樹脂下框２３との間に屋内外方向に延びる空間Ｋが形成され、その屋外側は金属下框２２の屋外側垂下部２２ｂと第二ヒレ部１９で封止され、屋内側は金属下枠１１から起立する樹脂下枠１２の立ち上がり部１２ｃと第一ヒレ部１８で封止されている。しかも空間Ｋに対面する樹脂下枠１２の立ち上がり部１２ｃには受け部１７によって加熱発泡材１６が縦置きに保持されている。
【００２０】
本実施形態による縦辷り出し窓１は上述した構成を有しており、次にその作用を説明する。
例えば建物の屋外側に火災が発生して縦辷り出し窓１が高温に晒されると、障子７と上枠との間の空間や障子７と下枠３との間の空間Ｋ内に熱風や火炎が流入し易い。上枠側では上枠と障子７との空間は比較的高温であるため樹脂上枠等は高温に晒されて溶け易いが、下枠３と障子７との間の空間Ｋは比較的温度が低いため熱風や火炎に晒されても樹脂下枠１２がすぐには溶けず金属下枠１１上で所定時間保持される。特に立ち上がり部１２ｃと加熱発泡材１６は障子７のガラスパネル９の屋内側に位置することもあって熱風や火炎の影響を受けにくく、加熱発泡材１６の膨張発泡まで落下や崩落を防いで溶けないで持ちこたえることができる。
そして、樹脂下枠１２の立ち上がり部１２ｃが高温で溶解する前に加熱発泡材１６が膨張発泡して空間Ｋを封止する。これによって縦辷り出し窓１の屋内外での熱風や火炎の連通を阻止し、延焼を抑制できる。
【００２１】
上述したように本実施形態による縦辷り出し窓１によれば、加熱発泡材１６を下枠３における樹脂下枠１２の立ち上がり部１２ｃに設けていても、火災等の際に屋外側から熱風や火炎に晒された場合に加熱発泡材１６の膨張発泡まで樹脂下枠１２が溶解しない。そのため、加熱発泡材１６を固定するために金属下枠１１を延ばしたり加熱発泡材１６の取付用の金属片を設置する必要がなく、簡単且つ低廉に加熱発泡材１６を取り付けできる。
しかも、加熱発泡材１６を取り付けた樹脂下枠１２の立ち上がり部１２ｃは金属下枠１１から立ち上げた上に障子７の屋内側に設置したため熱風や火炎等が届きにくく、この点でも樹脂下枠１２が溶解しにくい。
【００２２】
なお、本発明による縦辷り出し窓１の加熱発泡材１６の取り付け構造は、上述した実施形態に限定されるものではなく、本発明の要旨を逸脱しない範囲で適宜の変更や置換等が可能である。以下に、本発明の変形例等について説明するが、上述した実施形態で説明した部品や部材等と同一または同様なものについては同一の符号を用いて説明を省略する。
【００２３】
上述した実施形態では、加熱発泡材１６を樹脂下枠１２の立ち上がり部１２ｃに略鉛直方向に起立する縦置きに取り付けたが、略水平方向に取り付ける横置きでも斜め置きでもよく、加熱発泡材１６の向きや姿勢は任意である。
また、加熱発泡材１６は下枠３において熱風や火炎が屋内外を流通し易い金属下枠１１と下框２１の間の空間Ｋに設置することが好ましい。しかし、本発明による下枠３の領域における加熱発泡材１６の取り付け位置は必ずしも下枠３と障子７の下框２１との空間Ｋでなくてもよい。例えば、下枠３や下框２１内で樹脂下枠１２や樹脂下框２３に取り付けてもよく、その際、樹脂下枠１２や樹脂下框２３以外の他の樹脂部材を設けて取り付けてもよい。なお、樹脂下枠１２や樹脂下框２３も本発明の樹脂部材に含められる。
【００２４】
また、加熱発泡材１６と樹脂下枠１２の立ち上がり部１２ｃは障子７の屋内側に設置しなくてもよく、例えば障子７の下框２１の下側等でもよい。
なお、上述の実施形態では、屋外側に火災が発生した場合について説明したが、本発明は屋内側に火災が発生した場合にも適用できる。
また、本発明による複合建具として縦辷り出し窓１を例にとって説明したが、本発明はこれに限定されるものではなく、横辷り出し窓、引き違い窓、ＦＩＸ窓、連窓や単窓等の各種の複合建具に適用できる。
【符号の説明】
【００２５】
１  縦辷り出し窓
２  開口部
３  下枠
５  枠体
７  障子
９  ガラスパネル
１１  金属下枠
１２  樹脂下枠
１２ｃ  立ち上がり部
１６  加熱発泡材
１７  受け部
２１  下框
２２  金属下框
２３  樹脂下框
【図１】
2017125328.tif 000003
【図２】
2017125328.tif 000004